(57)【要約】【課題】スキャンラインに流れる電流値を同一に設定する発光素子を提供する。【解決手段】発光素子はデータラインD1〜D3、スキャンラインS1〜S4、複数のピクセルE11〜E34、少なくとも一つのダミーデータラインDD1,DD2及びクロストーク防止部210を含む。データラインとダミーデータラインは第１方向に配列され、スキャンラインは第１方向と異なる第２方向に配列される。ピクセルE11〜E34はデータラインD1〜D3とスキャンラインS1〜S4とが交差する領域に形成される。クロストーク防止部210はスキャンラインの発光に関わるスキャンラインに流れる電流値が目標値を有するように、ダミーデータラインを介して補償電流をスキャンラインに供給する。発光素子はスキャンラインS1〜S4に流れる電流値を同一に設定するので、パネル200にクロストーク現象が生じない。【選択図】図２(a)
2007094370.tif 000002
【特許請求の範囲】
【請求項１】
第１方向に配列されたデータラインと、
前記第１方向と異なる第２方向に配列されたスキャンラインと、
前記データラインと前記スキャンラインとが交差する領域に形成される複数のピクセルと、
前記第１方向に配列された少なくとも一つのダミーデータラインと、
前記スキャンラインの発光に関わるスキャンラインに流れる電流値が目標値を有するように、前記ダミーデータラインを介して補償電流を前記スキャンラインに供給するクロストーク防止部と、を含むことを特徴とする発光素子。
【請求項２】
前記発光素子は、前記ダミーデータラインと前記スキャンラインとが交差する領域に形成されるダミーピクセルをさらに含むことを特徴とする請求項１に記載の発光素子。
【請求項３】
前記ダミーデータラインは、前記データラインの最外郭データラインの外郭に配列されることを特徴とする請求項２に記載の発光素子。
【請求項４】
前記ダミーデータラインは、前記データラインの最外郭データライン間に配列されることを特徴とする請求項２に記載の発光素子。
【請求項５】
少なくとも一つのダミーピクセルは、基板上に順次に形成された前記ダミーデータライン、正孔輸送層、電子輸送層及び前記スキャンラインを含むことを特徴とする請求項２に記載の発光素子。
【請求項６】
前記クロストーク防止部は、
電流源を有し、前記電流源から発生された補償電流を、前記ダミーデータラインを介して前記スキャンラインに供給する電流供給部を含むことを特徴とする請求項２に記載の発光素子。
【請求項７】
前記クロストーク防止部は、
ＯＰアンプを有する電流供給部を含み、
前記ＯＰアンプの入力端子の一方は、入力電圧を受信し、前記入力端子の他方は、前記発光に関わるスキャンラインに連結されることを特徴とする請求項２に記載の発光素子。
【請求項８】
前記発光素子は、
外部装置から表示データを受信し、前記受信された表示データを用いて１個の画面に対応する画面表示データを生成する制御部をさらに含み、
前記クロストーク防止部は、
前記制御部から伝送された画面表示データを分析して前記画面表示データ中の最大輝度を有する表示データに対応する第１電流値を検出し、前記第１電流値と前記発光に関わるスキャンラインに流れる第２電流値とを比較する電流部と、
前記比較結果によって前記第１電流値と前記第２電流値との差に対応する補償電流を、前記ダミーデータラインを介して前記スキャンラインに供給する電流供給部と、を含むことを特徴とする請求項２に記載の発光素子。
【請求項９】
前記電流部は、
前記制御部から伝送された画面表示データを分析して前記画面表示データ中の最大輝度を有する表示データを検出するデータ分析部と、
前記データ分析部によって検出された表示データに対応する第１電流値と前記発光に関わるスキャンラインに流れる第２電流値とを比較する比較部と、を含むことを特徴とする請求項８に記載の発光素子。
【請求項１０】
前記目標値は、前記発光に関わるスキャンラインに対応する各ピクセルに供給される最大電流値の和であることを特徴とする請求項１に記載の発光素子。
【請求項１１】
前記目標値は、１個の画面に対応する複数の表示データ中の最大輝度を有する表示データに対応する電流値であることを特徴とする請求項１に記載の発光素子。
【請求項１２】
前記発光素子は、
前記スキャンラインにスキャン信号を伝送するスキャン駆動部と、
前記データラインに前記スキャン信号と同期されたデータ電流を供給するデータ駆動部と、
前記クロストーク防止部、前記スキャン駆動部及び前記データ駆動部の動作を制御する制御部と、をさらに含むことを特徴とする請求項１に記載の発光素子。
【請求項１３】
前記発光素子は、
前記スキャンラインの一部に第１スキャン信号を伝送する第１スキャン駆動部と、
残りのスキャンラインに第２スキャン信号を伝送する第２スキャン駆動部と、
前記データラインに前記スキャン信号と同期したデータ電流を供給するデータ駆動部と、
前記クロストーク防止部、前記スキャン駆動部及び前記データ駆動部の動作を制御する制御部と、をさらに含むことを特徴とする請求項１に記載の発光素子。
【請求項１４】
前記発光素子は、電界発光素子であることを特徴とする請求項１に記載の発光素子。
【請求項１５】
第１方向に配列されたデータラインと、
前記データラインの最外郭データラインの外郭から第１方向に配列された少なくとも一つのダミーデータラインと、
前記第１方向と異なる第２方向に配列されたスキャンラインと、
前記データラインと前記スキャンラインとが交差する領域に形成される複数のピクセルと、
前記ダミーデータラインと前記スキャンラインとが交差する領域に形成される複数のダミーピクセルと、
前記ダミーデータラインを介して前記スキャンラインに補償電流をそれぞれ供給するクロストーク防止部とを含み、
前記スキャンラインに流れる電流値は、実質的に同一であることを特徴とする有機電界発光素子。
【請求項１６】
前記クロストーク防止部は、ＯＰアンプを含み、前記ＯＰアンプを用いて前記スキャンラインに前記補償電流を供給することを特徴とする請求項１５に記載の有機電界発光素子。
【請求項１７】
データラインとスキャンラインとが交差する領域に形成された複数のピクセルを含む発光素子の駆動方法において、
表示データを受信する段階、
前記受信された表示データ中の一つの表示データに対応するデータ電流を前記データラインに供給する段階、および
前記スキャンラインの発光に関わるスキャンラインに流れる電流値が目標値を有するように、前記スキャンラインに補償電流を供給する段階、を含むことを特徴とする発光素子駆動方法。
【請求項１８】
前記補償電流を供給する段階は、
前記発光に関わるスキャンラインに流れる電流値に対応する電圧を検出する段階、及び
前記目標値と前記検出された電圧との差に対応する補償電流を前記スキャンラインに供給する段階を含むことを特徴とする請求項１７に記載の発光素子駆動方法。
【請求項１９】
前記補償電流を供給する段階は、
前記受信された表示データを用いて画面表示データを生成する段階、
前記画面表示データを分析して前記画面表示データ中の最大輝度を有する表示データに対応する第１電流値を検出する段階、
前記第１電流値と前記発光に関わるスキャンラインに流れる第２電流値とを比較する段階、及び
前記比較結果によって前記第１電流値と前記第２電流値との差に対応する補償電流を前記スキャンラインに供給する段階、を含むことを特徴とする請求項１７に記載の発光素子駆動方法。
【請求項２０】
前記目標値は、前記発光に関わるスキャンラインに対応する各ピクセルに供給される最大電流値の和であることを特徴とする請求項１７に記載の発光素子駆動方法。
【請求項２１】
前記目標値は、１個の画面に対応する複数の表示データの最大輝度を有する表示データに対応する電流値であることを特徴とする請求項１７に記載の発光素子駆動方法。
【発明の詳細な説明】
【技術分野】
【０００１】
本発明は、発光素子及びその駆動方法に関する。さらに詳しくは、スキャンラインに流れる電流値を同一に設定する発光素子及びその駆動方法に関するものである。
【背景技術】
【０００２】
発光素子は所定波長の光を発生する素子であり、特に、有機電界発光素子は自己発光素子である。
図１（ａ）は、従来の有機電界発光素子を図示したブロック図であり、図１（ｂ）及び（ｃ）は、図１（ａ）の有機電界発光素子を駆動させる方法を図示した回路図である。
【０００３】
図１（ａ）を参照すると、従来の有機電界発光素子は、パネル１００、制御部１０２、第１スキャン駆動部１０４、第２スキャン駆動部１０６及びデータ駆動部１０８を含む。
【０００４】
パネル１００は、データラインＤ１〜Ｄ３とスキャンラインＳ１〜Ｓ４とが交差する発光領域に形成される複数のピクセルＥ１１〜Ｅ３４を含む。
制御部１０２は、外部装置(図示略)から入力される表示データを用いてスキャン駆動部１０４、１０６及びデータ駆動部１０８を制御する。
【０００５】
第１スキャン駆動部１０４は、スキャンラインＳ１〜Ｓ４の一部Ｓ１、Ｓ３に連結され、第１スキャン信号を一部スキャンラインＳ１、Ｓ３に伝送する。
第２スキャン駆動部１０６は、残りのスキャンラインＳ２、Ｓ４に連結され、第２スキャン信号を残りのスキャンラインＳ２、Ｓ４に伝送する。
データ駆動部１０８は、制御部１０２の制御下に、表示データに対応するデータ電流をデータラインＤ１〜Ｄ３に供給し、それにより、ピクセルＥ１１〜Ｅ３４が発光する。
【０００６】
以下、従来の有機電界発光素子駆動方法を図１（ｂ）及び（ｃ）を参照して詳述する。但し、ピクセルＥ１１〜Ｅ３４は、ピクセルに対応するスキャンラインがアースに連結されるとき発光し、上記有機電界発光素子の駆動電圧、例えば、ピクセルの最大輝度に対応する電圧Ｖ１を有する非発光源に連結されるとき発光しない。また、０Ａのデータ電流が第１データラインＤ１を介して第１１ピクセルＥ１１に供給され、３Ａのデータ電流が残りのピクセルＥ１２〜Ｅ３４に供給される。また、各スキャンラインＳ１〜Ｓ４が有する抵抗（以下、"スキャンライン抵抗"という）を１０Ωとする。
【０００７】
図１（ｂ）を参照すると、第１スキャンラインＳ１はアースに連結され、第２〜第４スキャンラインＳ２〜Ｓ４は非発光源に連結される。従って、第１スキャンラインＳ１に対応するピクセルＥ１１〜Ｅ３１中の第２１、３１ピクセルＥ２１、Ｅ３１が発光する。
【０００８】
この場合、第１スキャンラインＳ１を介してアースに流れる第１電流値は６Ａである。それにより、ピクセルＥ２１、Ｅ３１のカソード電圧ＶＣ２１、ＶＣ３１は、それぞれ６０Ｖ（スキャンライン抵抗×６Ａ）である。
【０００９】
図１（ｃ）を参照すると、第２スキャンラインＳ２はアースに連結され、第１、３、４スキャンラインＳ１、Ｓ３、Ｓ４は非発光源に連結される。従って、第２スキャンラインＳ２に対応するピクセルＥ１２〜Ｅ３２が発光する。この場合、第２スキャンラインＳ２を介してアースに流れる第２電流値は９Ａである。従って、ピクセルＥ１２〜Ｅ３２のカソード電圧ＶＣ１２〜ＶＣ３２は、それぞれ９０Ｖ（スキャンライン抵抗×９Ａ）を有する。
【００１０】
以下、第１スキャンラインＳ１に対応するピクセルＥ２１と第２スキャンラインＳ２に対応するピクセルＥ２２を比較する。
【００１１】
上述するように、ピクセルＥ２１、Ｅ２２には同じ大きさのデータ電流が供給されたにもかかわらず、ピクセルＥ２１、Ｅ２２のカソード電圧ＶＣ２１、ＶＣ２２は互いに異なる大きさを有する。ここで、ピクセルの輝度が上記ピクセルのカソード電圧に影響を受けるために、ピクセルＥ２１、Ｅ２２は互いに異なる輝度で発光する。一般には、ピクセルはそのカソード電圧が大きくなるにつれて暗く発光するので、ピクセルＥ２１がピクセルＥ２２より明るく発光する。
【００１２】
ピクセルＥ３１、Ｅ３２の場合にも、ピクセルＥ３１、Ｅ３２のカソード電圧ＶＣ３１、ＶＣ３２が異なるため、ピクセルＥ３１、Ｅ３２は互いに異なる輝度で発光する。このような現状をクロストーク現象（Cross-talk phenomenon）という。
【発明の開示】
【発明が解決しようとする課題】
【００１３】
本発明の目的は、クロストーク現象を防止する発光素子及びその駆動方法を提供するものである。
【課題を解決するための手段】
【００１４】
上記のような目的を達成するために、本発明の好ましい一実施形態に係る発光素子は、データライン、スキャンライン、複数のピクセル、少なくとも一つのダミーデータライン及びクロストーク防止部を含む。前記データラインは、第１方向に配列され、前記スキャンラインは、前記第１方向と異なる第２方向に配列される。前記ピクセルは、前記データラインと前記スキャンラインとが交差する領域に形成される。前記ダミーデータラインは、前記第１方向に配列される。前記クロストーク防止部は、前記スキャンライン中の発光に関わるスキャンラインに流れる電流値が目標値を有するように、前記ダミーデータラインを介して補償電流を前記スキャンラインに供給する。
【００１５】
本発明の好ましい一実施形態に係る有機電界発光素子は、データライン、少なくとも一つのデータライン、スキャンライン、複数のピクセル、複数のダミーピクセル及びクロストーク防止部を含む。前記データラインは、第１方向に配列され、前記ダミーデータラインは、前記データラインの最外郭データラインの外郭から第１方向に配列される。前記スキャンラインは、前記第１方向と異なる第２方向に配列される。前記ピクセルは、前記データラインと前記スキャンラインとが交差する領域に形成される。前記ダミーピクセルは、前記ダミーデータラインと前記スキャンラインとが交差する領域に形成される。前記クロストーク防止部は、前記ダミーデータラインを介して前記スキャンラインに補償電流をそれぞれ供給する。ここで、前記スキャンラインに流れる電流値は実質的に同一である。
【００１６】
本発明の好ましい一実施形態に係るデータラインとスキャンラインとが交差する領域に形成された複数のピクセルを含む発光素子の駆動方法は、表示データを受信する段階、前記受信された表示データ中の一つの表示データに対応するデータ電流を前記データラインに供給する段階、及び前記スキャンライン中の発光に関わるスキャンラインに流れる電流値が目標値を有するように前記スキャンラインに補償電流を供給する段階を含む。
【発明の効果】
【００１７】
本発明に係るクロストーク防止用発光素子及びその駆動方法によれば、スキャンラインに流れる電流値を同一に設定するので、パネルにクロストーク現象が生じない長所がある。
【発明を実施するための最良の形態】
【００１８】
以下では、添付図面を参照して本発明の好ましい実施形態を詳細に説明する。
図２（ａ）は、本発明の好ましい第１の実施形態に係る発光素子を図示したブロック図であり、図２（ｂ）は、図２（ａ）の一ピクセルを図示した断面図である。また、図２（ｃ）及び（ｄ）は、図２（ａ）の発光素子を駆動させる方法を図示した回路図である。
【００１９】
図２（ａ）を参照すると、本発明の発光素子は、パネル２００、制御部２０２、第１スキャン駆動部２０４、第２スキャン駆動部２０６、データ駆動部２０８及びクロストーク防止部２１０を含む。
【００２０】
本発明の好ましい一実施形態に係る発光素子は、有機電界発光素子、ＰＤＰ（プラズマ  ディスプレイ  パネル）、ＬＣＤ（液晶ディスプレイ）などを含む。但し、以下では、説明の便宜のために有機電界発光素子を例として説明する。
【００２１】
パネル２００は、データラインＤ１〜Ｄ３とスキャンラインＳ１〜Ｓ４とが交差する発光領域に形成されるピクセルＥ１１〜Ｅ３４と、ダミーデータラインＤＤ１、ＤＤ２とスキャンラインＳ１〜Ｓ４とが交差するダミー発光領域に形成されるダミーピクセルＤＥ1〜ＤＥ４とを含む。
【００２２】
発光素子が有機電界発光素子の場合、各ピクセルＥ１１〜Ｅ３４は、図２（ｂ）に示されるように基板２２０上に順次に形成された透明電極であるアノード電極層２２２、有機物からなる有機物層２２４及びアルミニウムＡｌなどと同じ金属からなるカソード電極層２２６を含む。ここで、有機物層２２４は発光層を有する。
【００２３】
アノード電極層２２２に所定の正の電圧が供給され、カソード電極層２２６に所定の負の電圧が供給される場合、有機物層２２４は所定波長の光を発生する。
制御部２０２は、外部装置（未図示）から入力される表示データ、例えば、ＲＧＢデータを用いてスキャン駆動部２０４、２０６、データ駆動部２０８及びクロストーク防止部２１０を制御する。ここで、制御部２０２は、表示データを貯蔵することができる。
【００２４】
第１スキャン駆動部２０４は、スキャンラインＳ１〜Ｓ４の一部Ｓ１、Ｓ３に連結され、第１スキャン信号を一部スキャンラインＳ１、Ｓ３に伝送する。
第２スキャン駆動部２０６は、残りのスキャンラインＳ２、Ｓ４に連結され、第２スキャン信号を残りのスキャンラインＳ２、Ｓ４に伝送する。
【００２５】
データ駆動部２０８は、制御部２０２の制御下に、表示データに対応するデータ電流をデータラインＤ１〜Ｄ３に供給し、それにより、ピクセルＥ１１〜Ｅ３４が発光する。ここで、データ電流はスキャン信号に同期される。
【００２６】
クロストーク防止部２１０は、第１電流供給部２１２及び第２電流供給部２１４を含む。第１電流供給部２１２は、第１電流源を含み、制御部２０２から供給された第１制御信号ＣＳ１によって第１電流源から出力された第１電流を一部スキャンラインＳ１、Ｓ３に供給する。
【００２７】
第２電流供給部２１４は、第２電流源を含み、制御部２０２から供給された第２制御信号ＣＳ２によって、第２電流源から出力された第２電流を残りのスキャンラインＳ２、Ｓ４に供給する。
但し、電流供給部２１２、２１４は、各スキャンラインＳ１〜Ｓ４に流れる電流値が同一になるように、スキャンラインＳ１〜Ｓ４に第１電流及び第２電流を供給する。
【００２８】
これらに対する詳細な説明は、図２（ｃ）及び（ｄ）を参照して詳述する。但し、ピクセルＥ１１〜Ｅ３４は、自分に対応するスキャンラインが発光源、好ましくは、アースに連結されるとき発光し、発光素子の駆動電圧、例えば、ピクセルの最大輝度に対応する電圧と同じ大きさの電圧Ｖ１を有する非発光源に連結されるとき発光しない。また、第１ピクセルＥ１１には、０Ａのデータ電流が供給され、残りのピクセルＥ１２〜Ｅ３４には、３Ａのデータ電流が供給され、各スキャンラインＳ１〜Ｓ４に流れる電流値が１０Ａになるように設計されたとする。また、各スキャンラインＳ１〜Ｓ４が有する抵抗（以下、"スキャンライン抵抗"という）を１０Ωとし、発光源をアースとして仮定する。
【００２９】
まず、制御部２０２は、外部装置から入力された第１表示データを分析して、第１スキャンラインＳ１に流れる電流値が６Ａであることを検出し、検出結果によって第１制御信号ＣＳ１を第１電流供給部２１２に伝送する。
続いて、図２（ｃ）に示されるように、第１スキャンラインＳ１がアースに連結され、第２〜４スキャンラインＳ２〜Ｓ４は非発光源に連結される。
【００３０】
次いで、３Ａのデータ電流が第２、３データラインＤ２、Ｄ３及びピクセルＥ２１、Ｅ３１を解してアースに流れ、それにより、ピクセルＥ２１、Ｅ３１が発光する。この場合、第１電流供給部２１２は、第１制御信号ＣＳ１によってスイッチＳＷ１をターン−オンさせた後、４Ａダミーデータ電流を、第１ダミーデータラインＤＤ１及び第１ダミーピクセルＤＥ１を介して、第１スキャンラインＳ１に供給する。従って、第１スキャンラインＳ１を介してアースに１０Ａ電流が流れる。従って、第１スキャンラインＳ１に対応するピクセルＥ１１〜Ｅ３１のカソード電圧ＶＣ１１〜ＶＣ３１は、１００Ｖ（１０Ａ×１０Ω）である。
【００３１】
続いて、制御部２０２は、外部装置から入力された第２表示データを分析して、第２スキャンラインＳ２に流れる電流値が９Ａであることを検出し、検出結果によって、第２制御信号ＣＳ２を第２電流供給部２１４に伝送する。ここで、第２表示データは、第１表示データが制御部２０２に入力された後、入力されるデータである。
【００３２】
続いて、図２（ｄ）に示されるように、第２スキャンラインＳ２がアースに連結され、第１、３、４スキャンラインＳ１、Ｓ３、Ｓ４は非発光源に連結される。
【００３３】
続いて、３Ａのデータ電流が、第１〜３データラインＤ１〜Ｄ３及びピクセルＥ１２〜Ｅ３２を介してアースに流れて、それにより、ピクセルＥ１２〜Ｅ３２が発光する。この場合、第２電流供給部２１４は、第２制御信号ＣＳ２によってスイッチＳＷ２をターン−オンさせた後、１Ａのダミーデータ電流を、第２ダミーデータラインＤＤ２及び第１ダミーピクセルＤＥ２を介して、第２スキャンラインＳ２に供給する。従って、第２スキャンラインＳ２を介してアースに１０Ａ電流が流れる。従って、第２スキャンラインＳ２に対応するピクセルＥ１２〜Ｅ３２のカソード電圧ＶＣ１２〜ＶＣ３２は、１００Ｖ（１０Ａ×１０Ω）である。
【００３４】
方法を用いて計算すると、第３、４スキャンラインＳ３、Ｓ４に対応するピクセルＥ１３〜Ｅ３４のカソード電圧ＶＣ１３〜Ｅ３４も１００Ｖ（１０Ａ×１０Ω）である。
要するに、本発明の発光素子では、データラインＤ１〜Ｄ３に供給されるデータ電流の大きさに関係なく、ピクセルＥ１１〜Ｅ３４のカソード電圧ＶＣ１１〜ＶＣ３４が同一である。従って、従来の発光素子と違って、本発明の発光素子では、同じ大きさのデータ電流がピクセルに供給されるとき、ピクセルは同じ輝度で発光する。従って、本発明の発光素子では、従来の発光素子とは違ってクロストーク現象が生じない。
【００３５】
図３は、本発明の好ましい第２の実施形態に係る発光素子を図示したブロック図である。
図３を参照すると、本発明の発光素子は、パネル３００、制御部３０２、第１スキャン駆動部３０４、第２スキャン駆動部３０６、データ駆動部３０８及びクロストーク防止部３１０を含む。
【００３６】
クロストーク防止部３１０を除いた残りの構成要素は、第１の実施形態の構成要素と同じ機能を担うので、以下説明を省略する。
クロストーク防止部３１０は、第１電流供給部３１２及び第２電流供給部３１４を含む。第１電流供給部３１２は、スキャンラインＳ１〜Ｓ４に流れる電流値が同一にようにその内部に含まれた第１のＯＰアンプを用いて、一部スキャンラインに所定電流を供給する。
【００３７】
以下、第１スキャンラインＳ１を例として、第１電流供給部３１２の動作を詳述する。但し、第１のＯＰアンプを用いることによって、各スキャンラインＳ１〜Ｓ４に流れる電流値を１０Ａとし、この場合、第１１ダミーピクセルＤＥ１１のカソード電極にかかる電圧を１００Ｖとする。
【００３８】
第１のＯＰアンプの入力端子の一方には、電流値に対応する入力電圧Ｖ２が入力される。また、入力端子の他方には、ダミーピクセルＤＥ２１が連結される。それにより、第１電流供給部３１２は、ダミーピクセルＤＥ２１のカソード電圧を検出する。この場合、検出されたカソード電圧が入力電圧Ｖ２と異なると、第１のＯＰアンプは、ダミーピクセルＤＥ１１のカソード電圧が１００Ｖになるように、第１ダミーデータラインＤＤ１及びダミーピクセルＤＥ１１を介して、第１スキャンラインＳ１に所定電流を供給する。一方、入力端子の他方によって検出されたカソード電圧が入力電圧Ｖ２と同一であれば、第１のＯＰアンプは、いかなる電流も出力しない。
【００３９】
第２電流供給部３１４は、スキャンラインＳ１〜Ｓ４に流れる電流値が同一であるように、その内部に含まれた第２のＯＰアンプを用いて、残りのスキャンラインに所定電流を供給する。
【００４０】
図４は、本発明の好ましい第３の実施形態に係る発光素子を図示した図面である。
図４を参照すると、本発明の発光素子は、パネル４００、制御部４０２、スキャン駆動部４０４及びデータ駆動部４０６を含む。
【００４１】
スキャン駆動部４０４を除いた残りの構成要素は、第１の実施形態の構成要素と同じであり、以下説明を省略する。
スキャン駆動部４０４は、制御部４０２の制御下で、スキャン信号をスキャンラインＳ１〜Ｓ４に供給する。即ち、スキャンラインＳ１〜Ｓ４は、パネル４００の一方向に配列される。
【００４２】
図５（ａ）は、本発明の好ましい第４の実施形態に係る発光素子を図示したブロック図であり、図５（ｂ）は、図５（ａ）の発光素子を駆動させる方法を図示した回路図である。
図５（ａ）を参照すると、本発明の発光素子は、パネル５００、制御部５０２、スキャン駆動部５０４、データ駆動部５０６及びクロストーク防止部５０８を含む。
【００４３】
パネル５００は、データラインＤ１〜Ｄ３とスキャンラインＳ１〜Ｓ４とが交差する発光領域に形成されるピクセルＥ１１〜Ｅ３４及びダミーデータラインＤＤとスキャンラインＳ１〜Ｓ４とが交差するダミー発光領域に形成されるダミーピクセルＤＥ1〜ＤＥ４を含む。ここで、スキャンラインＳ１〜Ｓ４は、図５（ａ）に示されるようにパネル５００の一方向に配列される。
【００４４】
制御部５０２は、外部装置（未図示）から供給された表示データによってスキャン駆動部５０４、データ駆動部５０６及びクロストーク防止部５０８を制御する。
スキャン駆動部５０４は、スキャンラインＳ１〜Ｓ４に連結され、スキャン信号をスキャンラインＳ１〜Ｓ４に順次に伝送する。
【００４５】
データ駆動部５０６は、制御部２０４の制御下に表示データに対応するデータ電流をデータラインＤ１〜Ｄ３に供給する。
クロストーク防止部５０８は、電流部５１０及び電流供給部５１６を含む。
【００４６】
電流部５１０は、データ分析部５１２及び比較部５１４を含む。
データ分析部５１２は、制御部５０２から画面表示データを受信し、受信された画面表示データを分析して最大輝度で発光する表示データを検出する。
【００４７】
ここで、画面表示データは、パネル５００に表示される一画面に対応する表示データに対する情報を含み、例えば、制御部５０２に順次に入力される第１〜４表示データに対する情報を含む。また、第１表示データは、第１スキャンラインＳ１に対応するピクセルＥ１１〜Ｅ３１を発光させるためのデータであり、第２表示データは、第２スキャンラインＳ２に対応するピクセルＥ１２〜Ｅ３２を発光させるためのデータである。また、第３表示データは、第３スキャンラインＳ３に対応するピクセルＥ１３〜Ｅ３３を発光させるためのデータであり、第４表示データは、第４スキャンラインＳ４に対応するピクセルＥ１４〜Ｅ３４を発光させるためのデータである。
【００４８】
即ち、データ分析部５１２は、第１〜４表示データ中の最大輝度に対応する表示データ、即ち、スキャンラインＳ１〜Ｓ４に流れる電流値の最大電流値に対応する表示データを検出する。
【００４９】
比較部５１４は、データ分析部５１２によって検出された表示データに対応するデータ電流の和、即ち、該当スキャンラインに流れる電流値と発光源のアースに連結されたスキャンラインに流れる電流値とを比較し、比較結果によって制御信号を電流供給部５１６に伝送する。
【００５０】
電流供給部５１６は、スキャンラインＳ１〜Ｓ４に流れる電流値が同一になるように比較部５１４から伝送された制御信号によって所定電流をスキャンラインＳ１〜Ｓ４に供給する。
【００５１】
以下、クロストーク防止部５０８の動作を図５（ｂ）を参照して詳述する。但し、ピクセルＥ１１〜Ｅ３４は、このピクセルに対応するスキャンラインがアースに連結されるとき発光し、発光素子の駆動電圧と同じ大きさの電圧Ｖ１を有する非発光源に連結されるとき発光しないとする。また、各スキャンラインＳ１〜Ｓ４が有する抵抗（以下、「スキャンライン抵抗」という。）を１０Ωとする。また、第１〜４表示データの最大輝度に対応する表示データを第４表示データと仮定する。
【００５２】
図５（ｂ）を参照すると、第１スキャンラインＳ１は、発光源であるアースに連結され、第２〜第４スキャンラインＳ２〜Ｓ４は非発光源に連結される。従って、第１スキャンラインＳ１に対応するピクセルＥ１１〜Ｅ３１中のピクセルＥ２１、Ｅ３１が発光する。
【００５３】
この場合、電流部５１０は、制御部５０２から伝送された画面表示データを分析して第４表示データが最大輝度に対応するデータであることを検出し、検出結果に対する情報を比較部５１４に伝送する。
【００５４】
比較部５１４は、第４表示データに対応する第４スキャンラインＳ４に流れる電流値（例えば、９Ａ）と現在アースに連結された第１スキャンラインＳ１に流れる電流値（例えば、６Ａ）とを比較する。次いで、比較部５１４は、比較結果によって制御信号を電流供給部５１６に伝送する。
【００５５】
電流供給部５１６は、比較部５１４から伝送された制御信号によって、３Ａの電流をダミーデータラインＤＤ及び第１ダミーピクセルＤＥ１を介して、第１スキャンラインＳ１に供給する。
【００５６】
クロストーク防止部５０８は、上記のような方式を用いて所定電流をスキャンラインＳ１〜Ｓ４に供給してスキャンラインＳ１〜Ｓ４に流れる電流値を同一にする。従って、各ピクセルＥ１１〜Ｅ３４のカソード電圧ＶＣ１１〜ＶＣ３４は同一になるので、パネル５００にクロストーク現象が生じない。
【００５７】
以下、第１の実施形態の発光素子と第４の実施形態の発光素子とを比較する。
第１の実施形態の発光素子では、一つのスキャンラインに流れる電流値と予め決定された値との差に対応する電流がスキャンラインに供給される。従って、予め決定された電流値は、1つのスキャンラインに対応するピクセルが全てフルホワイト（full-white）で発光するとき、スキャンラインに流れる電流値以上でなければならない。
【００５８】
一方、第４の実施形態の発光素子では、スキャンラインＳ１〜Ｓ４に流れる電流値の最大の大きさを有する電流値と発光源に連結されたスキャンラインに流れる電流値との差に対応する電流が、スキャンラインに供給される。ここで、最大の大きさを有する電流値が全てフルホワイトで発光するピクセルに対応する電流値より小さくなりうる。
【００５９】
従って、第４の実施形態の発光素子は、第１の実施形態の発光素子より消費電力が小さくなりうる。
以下、本発明の発光素子を駆動させる過程を詳述する。
【００６０】
制御部５０２は、外部装置から入力される表示データを用いて、画面表示データを生成する。
次いで、スキャン駆動部５０４は、スキャン信号をスキャンラインＳ１〜Ｓ４に伝送する。
【００６１】
本発明の他の実施形態に係る発光素子駆動方法では、スキャン信号が伝送される段階が画面表示データが生成される段階より、先に遂行され得る。
続いて、データ駆動部５０６は、制御部５０２の制御下に、一表示データに対応するデータ電流をデータラインＤ１〜Ｄ３に供給する。この場合、電流供給部５１６は、画面表示データに対応する所定電流を該当スキャンラインに供給する。
【００６２】
図６は、本発明の好ましい第５の実施形態に係る発光素子を図示したブロック図である。
図６を参照すると、本発明の発光素子は、パネル６００、制御部６０２、第１スキャン駆動部６０４、第２スキャン駆動部６０６、データ駆動部６０８及びクロストーク防止部６１０を含む。
【００６３】
スキャン駆動部６０４、６０６及びクロストーク防止部６１０を除いた残りの構成要素は、第４の実施形態の構成要素と同じ機能を担うので、以下説明を省略する。
第１スキャン駆動部６０４は、第１スキャン信号を一部スキャンラインＳ１、Ｓ３に伝送し、第２スキャン駆動部６０６は、第２スキャン信号を残りのスキャンラインＳ２及びＳ４に伝送する。
【００６４】
クロストーク防止部６１０は、電流部６１２、第１電流供給部６１４及び第２電流供給部６１６を含む。
電流部６１２は、制御部５０２から伝送された画面表示データを分析し、分析結果によって、第１制御信号ＣＳ１及び第２制御信号ＣＳ２を電流供給部６１４、６１６に伝送する。
【００６５】
第１電流供給部６１４は、スキャンラインＳ１〜Ｓ４に流れる電流値が同一になるように第１制御信号ＣＳ１によって第１電流を一部スキャンラインＳ１、Ｓ３に供給する。
【００６６】
第２電流供給部６１６は、スキャンラインＳ１〜Ｓ４に流れる電流値が同一になるように、第２制御信号ＣＳ２によって第２電流を残りのスキャンラインＳ２、Ｓ４に供給する。
【００６７】
以上の本発明は、例示の目的のために開示されたものであり、本発明に対する通常の知識を有した当業者であれば、本発明の思想と範囲内で様々な修正、変更、付加が可能である。従って、このような修正、変更及び付加は本発明の特許請求の範囲に属するものである。
【図面の簡単な説明】
【００６８】
【図１（ａ）】従来の有機電界発光素子を示したブロック図である。
【図１（ｂ）】図１(a)の有機電界発光素子を駆動させる方法を示した回路図である。
【図１（ｃ）】図１(a)の有機電界発光素子を駆動させる方法を示した回路図である。
【図２（ａ）】本発明の好ましい第１の実施形態に係る発光素子を示したブロック図である。
【図２（ｂ）】図２(a)のモノピクセルを図示した断面図である。
【図２（ｃ）】図２(a)の発光素子を駆動させる方法を示した回路図である。
【図２（ｄ）】図２(a)の発光素子を駆動させる方法を示した回路図である。
【図３】本発明の好ましい第２の実施形態に係る発光素子を示したブロック図である。
【図４】本発明の好ましい第３の実施形態に係る発光素子を示した図である。
【図５（ａ）】本発明の好ましい第４の実施形態に係る発光素子を示したブロック図である。
【図５（ｂ）】図５(a)の発光素子を駆動させる方法を示した回路図である。
【図６】本発明の好ましい第５の実施形態に係る発光素子を図示したブロック図である。
【符号の説明】
【００６９】
２００  パネル
２０２  制御部
２０４  第１スキャン駆動部
２０６  第２スキャン駆動部
２０８  データ駆動部
２１０  クロストーク防止部
２１２  第１電流供給部
２１４  第２電流供給部
Ｄ１〜Ｄ４  データライン
ＤＤ１、ＤＤ２  ダミーデータライン
ＤＥ１〜ＤＥ４  ダミーピクセル
Ｅ１１〜Ｅ３４  ピクセル
Ｓ１〜Ｓ４  スキャンライン
【図１（ａ）】
2007094370.tif 000003
【図１（ｂ）】
2007094370.tif 000004
【図１（ｃ）】
2007094370.tif 000005
【図２（ａ）】
2007094370.tif 000006
【図２（ｂ）】
2007094370.tif 000007
【図２（ｃ）】
2007094370.tif 000008
【図２（ｄ）】
2007094370.tif 000009
【図３】
2007094370.tif 000010
【図４】
2007094370.tif 000011
【図５（ａ）】
2007094370.tif 000012
【図５（ｂ）】
2007094370.tif 000013
【図６】
2007094370.tif 000014